(57)【要約】【課題】ＭＰＥＧ４などに符号化されたデータを再生するときに、ＰＡＬで再生するかＮＴＳＣで再生するかをどちらかに固定している場合であっても滑らかな映像再生を可能にする符号化データ再生装置を提供することを目的とする。【解決手段】復号化したフレームの間隔から符号化時の放送方式を判定し、そのビデオ出力放送方式でビデオ信号を出力することにより、ＭＰＥＧ４などに符号化されたデータを再生する際に滑らかな映像を表示することができる。【選択図】図１
2006324739.tif 000002
【特許請求の範囲】
【請求項１】
符号化されたデータを復号化してフレームデータを出力する復号化手段と、前記復号化手段の出力のヘッダ情報からフレームの表示出力タイミングを示すタイムスタンプを抽出しフレーム間のタイムスタンプの差分からフレーム間隔を計測するフレーム間隔計測手段と、前記フレーム間隔計測手段の出力に基づいてビデオ出力放送方式を判定するビデオ出力放送方式判定手段と、前記復号化手段の出力を入力し前記ビデオ出力放送方式判定手段の出力に基づいてビデオ信号を出力する表示制御手段とを有する符号化データ再生装置。
【発明の詳細な説明】
【技術分野】
【０００１】
本発明は、ＭＰＥＧ４などに符号化されたデータを再生する符号化データ再生装置に関するものである。
【背景技術】
【０００２】
符号化データ再生装置では、送信側の多重化部によって送信側のテレビジョン放送方式を示す選択信号を符号化データに付加して送信し、受信側は受信データに付加された選択信号から送信側のテレビジョン放送方式を判別し、ＮＴＳＣ／ＰＡＬ切り換え付き読み出し回路、ＮＴＳＣ／ＰＡＬ切り換え付きアナログ回路、ＮＴＳＣ／ＰＡＬ切り換え付きディスプレイの放送処理方式を送信側のテレビジョン放送方式に合わせて切り換え、受信信号を送信側の放送方式で処理する方式がある（例えば特許文献１参照。）。
【０００３】
しかし、ＭＰＥＧ４などの復号用ＬＳＩでは上述した選択信号を読み出すことができない構造のものがある。この場合について図５、図６を用いて説明する。図５は従来の符号化データ再生装置の構成を示すブロック図である。メモリーカード１は符号化映像データ２を出力する。復号化手段３は符号化映像データ２を復号化してフレームデータ４を出力する。表示制御手段２０はフレームデータ４をビデオ出力放送方式初期設定値１９に基づいてビデオ信号１１を作成する。ここでビデオ出力放送方式初期設定値１９はＮＴＳＣに設定されているものとする。モニタ１２はビデオ信号１１に基づいて映像を表示する。
【０００４】
符号化映像データの元の画像がＰＡＬの場合は、復号化手段３の出力のフレーム間隔はＰＡＬのフレーム間隔と同じく４０ｍｓとなる。一方、表示制御手段１０の出力のフレーム間隔はＮＴＳＣのフレーム間隔である３３ｍｓである。このように表示制御手段１０ではビデオ出力放送方式初期設定値１９で設定したＮＴＳＣ放送方式でのみビデオ信号が出力され、復号化するデータの放送方式に基づいて切り換えることはできない。
【０００５】
図６は従来の符号化データ再生装置における符号化時のフレームと復号化時のフレーム出力を示す図である。符号化時の入力はＰＡＬ信号であるため、１秒間に２５フレームのデータとして録画される。一方再生時はＮＴＳＣに固定されている場合、１秒間に３０フレームの出力が必要である。従って５フレーム毎に同一の１フレームを挿入することで足りないフレームを補っていた。
【特許文献１】特公平７−５９０８４号公報
【発明の開示】
【発明が解決しようとする課題】
【０００６】
しかしながら上記の従来の構成では、もとの符号化時の放送方式と復号化後のビデオ出力放送方式が異なるためフレーム数が変換され、再生した映像は滑らかな映像にならないという問題点を有していた。
【０００７】
本発明は上記従来の問題点を解決するもので、滑らかな映像再生を可能にする符号化データ再生装置を提供することを目的とする。
【課題を解決するための手段】
【０００８】
この目的を達成するために本発明の符号化データ再生装置は、符号化されたデータを復号化してフレームデータを出力する復号化手段と、前記復号化手段の出力のヘッダ情報からフレームの表示出力タイミングを示すタイムスタンプを抽出しフレーム間のタイムスタンプの差分からフレーム間隔を計測するフレーム間隔計測手段と、前記フレーム間隔計測手段の出力に基づいてビデオ出力放送方式を判定するビデオ出力放送方式判定手段と、前記復号化手段の出力を入力し前記ビデオ出力放送方式判定手段の出力に基づいてビデオ信号を出力する表示制御手段とを備えた構成を有している。
【０００９】
この構成によって、滑らかな映像再生を可能にする符号化データ再生装置が得られる。
【発明の効果】
【００１０】
以上のように本発明は、ＭＰＥＧ４などに符号化されたデータを再生する際に滑らかな映像を表示することができるという優れた効果が得られる。
【発明を実施するための最良の形態】
【００１１】
（実施の形態１）
以下に本発明の実施の形態について、図面を参照して説明する。
【００１２】
図１は本発明の実施の形態１における符号化データ再生装置の構成を示すブロック図である。メモリーカード１は符号化映像データ２を出力する。復号化手段３は符号化映像データ２を復号化してフレームデータ４を出力する。フレーム間隔計測手段５はフレームデータ４を入力し各フレームのタイムスタンプを抽出して各フレーム間隔を検出する。ビデオ出力放送方式判定手段８は前記フレーム間隔により放送方式を判定するものである。
【００１３】
図２は録画時・再生時の放送方式とフレーム数との関係を示す図である。
【００１４】
図２（ａ）はＮＴＳＣ、ＰＡＬについて１秒当たりのフレーム数により複数のモードを選択できる場合を示したものである。例えば、メモリーカード１への録画時においてＮＴＳＣ、ＰＡＬ各々についてエクストラファイン、スーパーファイン、ファイン、ノーマル、エコノミーのモードを設けている。これによりユーザが録画時間や解像度について好みのモードを選択できる。
【００１５】
図２（ｂ）は再生時のフレーム数またはフレーム間隔と放送方式との関係を示したものである。これによりフレーム間隔から再生時に最も適した放送方式を選択することが可能である。
【００１６】
図３はビデオ出力放送方式判定手段８の動作のフローチャートである。ステップＳ３０１では、フレーム間隔が３３ｍｓに近いかを判断する。Ｙｅｓの場合はステップＳ３０２に進む。ステップＳ３０２では、放送方式はＮＴＳＣ、フレーム数は３０であると決定する。Ｎｏの場合はステップＳ３０３に進む。ステップＳ３０３では、フレーム間隔が４０ｍｓに近いかを判断する。Ｙｅｓの場合はステップＳ３０４に進む。ステップＳ３０４では、放送方式はＰＡＬ、フレーム数は２５であると決定する。Ｎｏの場合はステップＳ３０５に進む。ステップＳ３０５では、フレーム間隔が６７ｍｓに近いかを判断する。Ｙｅｓの場合はステップＳ３０６に進む。ステップＳ３０６では、放送方式はＮＴＳＣ、フレーム数は１５であると決定する。Ｎｏの場合はステップＳ３０７に進む。ステップＳ３０７では、フレーム間隔が８３ｍｓに近いかを判断する。Ｙｅｓの場合はステップＳ３０８に進む。ステップＳ３０８では、放送方式はＰＡＬ、フレーム数は１２であると決定する。Ｎｏの場合はステップＳ３０９に進む。ステップＳ３０９では、フレーム間隔が１６７ｍｓに近いかを判断する。Ｙｅｓの場合はステップＳ３１０に進む。ステップＳ３１０では、放送方式はＰＡＬ、フレーム数は６であると決定する。Ｎｏの場合は決定することなく終了する。表示制御手段１０はフレームデータ４をビデオ出力放送方式判定値９に基づいてビデオ信号１１を作成する。モニタ１２はビデオ信号１１に基づいて映像を表示する。
【００１７】
図４は本発明の実施の形態１における符号化時のフレームと復号化時のフレーム出力を示す図である。符号化時の放送方式がＰＡＬの場合を示しており、フレーム間隔は４０ｍｓになり、ビデオ出力放送方式判定値９はＰＡＬを示す。また図にはないが、放送方式がＮＴＳＣの場合は前記フレーム間隔が３３ｍｓになり、ビデオ出力放送方式判定値９はＮＴＳＣになる。このようにフレーム間隔によって元の符号化時の放送方式と同じビデオ出力放送方式で復号された映像を出力することができ、滑らかな映像を出力することができる。
【００１８】
以上のように本実施の形態１によれば、復号化したフレームの間隔から符号化時の放送方式を判定し、そのビデオ出力放送方式でビデオ信号を出力することにより、ＭＰＥＧ４などに符号化されたデータを再生する際に滑らかな映像を表示することができる。
【産業上の利用可能性】
【００１９】
本発明の符号化データ再生装置は、ＭＰＥＧ４などに符号化されたデータを再生する際に滑らかな映像を表示することができるという優れた効果を有しているため、メモリーカードに記録されたデータを再生する符号化データ再生装置等において有用である。
【図面の簡単な説明】
【００２０】
【図１】本発明の実施の形態１における符号化データ再生装置の構成を示すブロック図
【図２】録画時・再生時の放送方式とフレーム数との関係を示す図
【図３】ビデオ出力放送方式判定手段８の動作のフローチャート
【図４】本発明の実施の形態１における符号化時のフレームと復号化時のフレーム出力を示す図
【図５】従来の符号化データ再生装置の構成を示すブロック図
【図６】従来の符号化データ再生装置における符号化時のフレームと復号化時のフレーム出力を示す図
【符号の説明】
【００２１】
１    メモリーカード
２    符号化映像データ
３    復号化手段
４    フレームデータ
５    フレーム間隔計測手段
６    フレーム間隔
８    ビデオ出力放送方式判定手段
９    ビデオ出力放送方式判定値
１０    表示制御手段
１１    ビデオ信号
１２    モニタ
１３    フレーム
【図１】
2006324739.tif 000003
【図２】
2006324739.tif 000004
【図３】
2006324739.tif 000005
【図４】
2006324739.tif 000006
【図５】
2006324739.tif 000007
【図６】
2006324739.tif 000008